(57)【要約】【課題】従来に比して一段と夜間の安全を図ることができるＬＥＤ照明付バンドを提供すること。【解決手段】帯状部材からなるバンド本体１０と、互いに接合及び剥離自在なフック面部２２とループ面部２４とからなる面ファスナ２０と、複数の発光ダイオード３６Ａ〜３６Ｅと、発光ダイオード３６Ａ〜３６Ｅに電源を供給するボタン電池３２と、ボタン電池３２から複数の発光ダイオード３６Ａ〜３６Ｅへの電源供給をオンオフするタクトスイッチ３４と、を備えるＬＥＤ照明付バンド１であって、フック面部２２ループ面部２４がバンド本体１０の一端部の裏面に取り付けられ、フック面部２２がバンド本体１０の他端部の表面に取り付けられ、複数の発光ダイオード３６Ａ〜３６Ｅ、ボタン電池３２及びタクトスイッチ３４は、バンド本体１０の表面に配置され、複数の発光ダイオード３６Ａ〜３６Ｅは、バンド本体１０の長手方向に沿って並べられている。【選択図】図１
0003193170.tif 000002
【実用新案登録請求の範囲】
【請求項１】
帯状部材からなるバンド本体と、
互いに接合及び剥離自在な接合部材と被接合部材とからなる面ファスナと、
複数の発光ダイオードと、
当該発光ダイオードに電源を供給する電池と、
前記電池から前記複数の発光ダイオードへの電源供給をオンオフするスイッチと、を備え、
前記接合部材及び前記被接合部材の一方が前記バンド本体の一端部の裏面に取り付けられ、他方が前記バンド本体の他端部の表面に取り付けられ、
前記バンド本体は、伸縮自在な平ゴム部を有し、
前記複数の発光ダイオード、前記電池及び前記スイッチは、前記バンド本体の表面に配置され、
前記複数の発光ダイオードは、前記バンド本体の長手方向に沿って並べられていること、を特徴とするＬＥＤ照明付バンド。
【考案の詳細な説明】
【技術分野】
【０００１】
本考案は、リストバンドやアームバンド等に適用されるＬＥＤ照明付バンドに関する。
【背景技術】
【０００２】
従来、夜間にジョギング等のスポーツが安全に行えるように、特許文献１に記載されているような発光バンドが提案されている。この発光バンドは、発光塗料が塗布された糸、蛍光塗料が塗布された糸、又は、反射塗料が塗布された糸を使用して伸縮自在な円環状の織編物として形成されている。このような発光バンドを身体に装着することにより、車を運転する者にその存在を認識させることが可能になり、夜間歩行やジョギング等の安全を図ることができる。
【先行技術文献】
【特許文献】
【０００３】
【特許文献１】登録実用新案第３０６２４５６号公報
【考案の概要】
【考案が解決しようとする課題】
【０００４】
しかしながら、前述した発光バンドにおいては、発光量が比較的小さいことから、車や自転車を運転する者が発光バンドから発する光を認識できないおそれがある。
【０００５】
本考案は、以上の点を考慮してなされたものであり、従来に比して一段と夜間の安全を図ることができるＬＥＤ照明付バンドを提案することを目的とする。
【課題を解決するための手段】
【０００６】
前記目的を達成するため、本考案のＬＥＤ照明付バンドは、帯状部材からなるバンド本体と、互いに接合及び剥離自在な接合部材と被接合部材とからなる面ファスナと、複数の発光ダイオードと、当該発光ダイオードに電源を供給する電池と、前記電池から前記複数の発光ダイオードへの電源供給をオンオフするスイッチと、を備え、前記接合部材及び前記被接合部材の一方が前記バンド本体の一端部の裏面に取り付けられ、他方が前記バンド本体の他端部の表面に取り付けられ、前記バンド本体は、伸縮自在な平ゴム部を有し、前記複数の発光ダイオード、前記電池及び前記スイッチは、前記バンド本体の表面に配置され、前記複数の発光ダイオードは、前記バンド本体の長手方向に沿って並べられていること、を特徴とするＬＥＤ照明付バンド。
【０００７】
本考案によれば、使用者がタクトスイッチを操作して発光ダイオードを点灯させることにより、夜間において、使用者におけるＬＥＤ照明付バンドの装着部位周囲をぼんやりと明るくすることができる。また、光源として発光ダイオードを使用することにより、ボタン電池を長持ちさせることが可能になり、意図しない電池切れを低減することができる。これにより、夜間における使用者の安全性の向上を図ることができる。
【考案の効果】
【０００８】
本考案によれば、従来に比して一段と夜間における使用者の安全性の向上を図ることができる。
【図面の簡単な説明】
【０００９】
【図１】本考案の一実施形態に係るＬＥＤ照明付バンド１の表側を示す平面図である。
【図２】本考案の一実施形態に係るＬＥＤ照明付バンド１の裏側を示す平面図である。
【図３】図１のＬＥＤ照明付バンド１の右側面図である。
【考案を実施するための形態】
【００１０】
以下、本考案の一実施形態について図面を参照しながら詳述する。
【００１１】
図１は、本考案の一実施形態に係るＬＥＤ照明付バンド１の表側を示す平面図である。図２は、本考案の一実施形態に係るＬＥＤ照明付バンド１の裏側を示す平面図である。
【００１２】
ＬＥＤ照明付バンド１は、バンド本体１０と、面ファスナ２０と、ＬＥＤ照明部３０と、を備えている。
【００１３】
バンド本体１０は、長さ３５０ｍｍ、幅２５ｍｍの帯状に構成されておる。また、バンド本体１０は、第１帯状部１２と、平ゴム部１４と、第２帯状部１６とからなる。第１帯状部１２及び第２帯状部１６はともに塩化ビニール製の帯状部材からなり、第１帯状部１２が第２帯状部１６よりも長く設定されている。バンド本体１０は、第１帯状部１２と第２帯状部１６とが平ゴム部１４によって連結されたものである。
【００１４】
バンド本体１０における第１帯状部１２側の先端部はＵ字形に形成されており、第２帯状部１６側の端部はコ字形に形成されている。バンド本体１０の両端部を引っ張った場合には、平ゴム部１４が伸長することにより、バンド本体１０の全長が３５０ｍｍより長くなる。
【００１５】
面ファスナ２０は、フック状に起毛されたフック面部２２と、ループ状に起毛されたループ面部２４とによって構成される。フック面部２２とループ面部２４とを重ね合わせたり剥がしたりすることにより、フック面部２２とループ面部２４との接合、離間を繰り返し行うことができる。
【００１６】
フック面部２２は、バンド本体１０における第１帯状部１２の裏側に取り付けられ、ループ面部２４は、バンド本体１０における第２帯状部１６の表側に取り付けられる。このため、フック面部２２とループ面部２４とを接合することにより、バンド本体１０をリング状に形成することが可能になる。
【００１７】
ＬＥＤ照明部３０は、ボタン電池３２、タクトスイッチ３４、発光ダイオード３６Ａ〜３６Ｅと、フレキシブル基板３８と、によって構成されている。
発光ダイオード３６Ａ〜３６Ｅは、チップ形ＬＥＤである。
【００１８】
フレキシブル基板３８は、第１帯状部１２表面に貼着されるフィルム状の配線基板である。フレキシブル基板３８には、ボタン電池３２を収納する電池収納部３３、タクトスイッチ３４、発光ダイオード３６Ａ〜３６Ｅの順で長手方向に実装される。電池収納部３３からは、ボタン電池３２の＋極と−極に対応する２本の配線パターン３７が形成されている。この２本の配線パターン３７は、タクトスイッチ３４の実装部位で分断されており、タクトスイッチ３４の操作によって、２本の配線パターン３７が導通及び非導通のいずれかの状態に切り替えられる。
【００１９】
タクトスイッチ３４から延びる２本の配線パターン３７には、発光ダイオード３６Ａ〜３６Ｅがそれぞれ接続される。すなわち、発光ダイオード３６Ａ〜３６Ｅは、ボタン電池３２に対して並列に接続される。
【００２０】
そして、ボタン電池３２を電池収納部３３に収納し、タクトスイッチ３４をオンにすることにより、発光ダイオード３６Ａ〜３６Ｅが一斉に点灯し、タクトスイッチ３４をオフにすることにより、発光ダイオード３６Ａ〜３６Ｅが一斉に消灯する。このように、タクトスイッチ３４を１回ずつ操作することにより、発光ダイオード３６Ａ〜３６Ｅの点灯、消灯が切り替えられる。
【００２１】
このように構成されたＬＥＤ照明部３０は、バンド本体１０における第１帯状部１２の表面に固定される。この時、バンド本体１０の一端部にボタン電池３２が配置され、他端部側に長手方向に沿って、タクトスイッチ３４、発光ダイオード３６Ａ〜３６Ｅが配置される。
【００２２】
なお、第１帯状部１２に透明のカバー体を取り付けることにより、ＬＥＤ照明部３０を汗や水滴から保護してもよい。
【００２３】
本実施形態のＬＥＤ照明付バンド１を使用する際には、使用者の上腕部にＬＥＤ照明付バンド１を巻き付けて、面ファスナ２０（図１、図２参照）のフック面部２２とループ面部２４とを接合することにより、図３に示すように、使用者の上腕部にＬＥＤ照明付バンド１が取り付けられる。これにより、使用者の上腕部の周りに５つの発光ダイオード３６Ａ〜３６Ｅ（図１参照）が配置される。
【００２４】
本実施形態のＬＥＤ照明付バンド１は、夜間において使用することが効果的であり、使用者が、自身の上腕部にＬＥＤ照明付バンド１を取り付けて、タクトスイッチ３４をオンにすることにより、発光ダイオード３６Ａ〜３６Ｅが一斉に点灯する。これにより、例えば、ＬＥＤ照明付バンド１を着用している使用者が歩道を歩いており、使用者に対して正面から自転車が向かってきた場合、自転車に乗った者は発光ダイオード３６Ａ〜３６Ｅの発光に気付きやすくなり、前方に歩行者がいるかもしれないという意識を喚起させることが可能になる。更に、自転車が使用者に近づくことにより、自転車に乗った者は、発光ダイオード３６Ａ〜３６Ｅの光によって歩行者がぼんやりと見えるようになり、歩行者の存在を早期に確認することができる。これにより、夜間における使用者の安全を向上することができる。
【００２５】
また、本実施形態のＬＥＤ照明付バンド１の発光ダイオード３６Ａ〜３６Ｅの発光は、使用者に対して前方から向かってくる者ばかりではなく、歩行者の後方から追ってくる者によっても認識可能である。また、使用者が杖を常用している場合には、杖を持つ手の手首あるいは杖のグリップ等に本実施形態のＬＥＤ照明付バンド１を取り付けることにより、使用者の周りにいる者達に使用者の存在を気付かせることが可能になる。
【００２６】
以上、説明したように構成された本実施形態によれば、タクトスイッチ３４の操作により発光ダイオード３６Ａ〜３６Ｅを点灯させることにより、ＬＥＤ照明付バンド１を装着した使用者の周囲をぼんやりと明るくすることができる。また、光源として発光ダイオードを使用することにより、ボタン電池を長持ちさせることが可能になり、意図しない電池切れを低減することができる。これにより、夜間における使用者の安全を向上することができる。
【００２７】
〔他の実施形態〕
以上、本考案の実施形態を詳述したが、本考案は、本考案の趣旨を逸脱しない範囲で、前述の実施形態の構成を種々に変更し、更には従来構成と組み合わせることができる。
【００２８】
すなわち前述の実施形態では、ＬＥＤ照明部３０が５つの発光ダイオードを有する場合について述べたが、本考案はこれに限らず、２つの発光ダイオードを構成してもよく、５個以外の複数の発光ダイオードで構成してもよい。また、５つの発光ダイオードの発光色は同色であっても、異色であってもよい。また、５つの発光ダイオードの発光態様を制御する制御回路を取り付け、５つの発光ダイオードを所定の発光パターンで点滅表示させてもよい。
【００２９】
また前述の実施形態ではタクトスイッチ３４を適用する場合について述べたが、本考案はこれに限らず、例えばスライドスイッチ等を適用するようにしてもよい。
【００３０】
また前述の実施形態では、ＬＥＤ照明付バンド１を上腕部に巻き付けているもの、所謂アームバンドに適用した場合について説明したが、本考案はこれに限らず、手首に取り付けるリストバンド、自転車に乗っているときにズボンの裾がばたついたり汚れたりしないように足首に取り付けるレッグバンド等に適用することも可能である。
【符号の説明】
【００３１】
１  ＬＥＤ照明付バンド
１０  バンド本体
１２  第１帯状部
１４  平ゴム部
１６  第２帯状部
２０  面ファスナ
２２  フック面部
２４  ループ面部
３０  ＬＥＤ照明部
３２  ボタン電池
３３  電池収納部
３４  タクトスイッチ
３６Ａ〜３６Ｅ  発光ダイオード
３８  フレキシブル基板
【図１】
0003193170.tif 000003
【図２】
0003193170.tif 000004
【図３】
0003193170.tif 000005